(57)【特許請求の範囲】
【請求項１】
ビデオテープカセットを箱型形状の本体の正面側から出し入れできるように正面の扉部を開閉自由に設け、該本体の上面側の開口から前記ビデオテープカセットを出し入れできるように該開口を開閉する蓋体を設けたビデオテープカセットのカバーケースであって、前記本体の背面の壁部又は側部の少なくとも一方の内面に、同本体に収納された状態におけるビデオテープカセットの凹部に遊嵌する突起片を一体に形成し、前記蓋体を起立させて前記扉部を閉じた状態で前記ビデオテープカセットを前記開口から入れたとき、同ビデオテープカセットの底面が前記突起片に当接して、そのビデオテープカセットの上部が該開口から所定の高さで露出するように構成したことを特徴とするビデオテープカセットのカバーケース。
【請求項２】
ビデオテープカセットを収納するレンタル用ケースを箱型形状の本体の正面側から出し入れできるように正面の扉部を開閉自由に設け、該本体の上面側の開口から前記ビデオテープカセットを出し入れできるように該開口を開閉する蓋体を設けたビデオテープカセットのカバーケースであって、前記本体の背面の壁部又は側部の少なくとも一方の内面に、同本体に収納された状態におけるレンタル用ケースの透孔若しくは凹部に遊嵌する突起片を一体に形成し、前記蓋体を起立させて前記扉部を閉じた状態で前記レンタル用ケースを前記開口から入れたとき、同ケースの底面が前記突起片に当接して、そのレンタル用ケースの上部が該開口から所定の高さで露出するように構成したことを特徴とするビデオテープカセットのカバーケース。
【請求項３】
ビデオテープカセットを貸し出し又は販売するために陳列棚に展示する陳列方法であって、ビデオテープカセットをカバーケースに完全に収納した販売態様と、同ビデオテープカセットの上部を前記開口から所定の高さに露出させた展示態様の何れかに可変自由に設けられ、上記何れかの態様において展示を行うことを特徴とする請求項１に記載のカバーケースの陳列方法。
【請求項４】
ビデオテープカセットを貸し出し又は販売するために陳列棚に展示する陳列方法であって、ビデオテープカセットを収納したレンタル用ケースがカバーケースに完全に収納された販売態様と、該レンタル用ケースの上部が前記開口から所定の高さに露出された展示態様の何れかに可変自由に設けられ、上記何れかの態様において展示を行うことを特徴とする請求項２に記載のカバーケースの陳列方法。
【発明の詳細な説明】
【０００１】
【発明の属する技術分野】
本発明は、ビデオテープカセットをそのまま、或いはレンタル用ケースに収めてビデオテープカセットを収納するカバーケース及びその陳列方法に関する。
【０００２】
【従来の技術】
現在、ビデオテープカセットは、扉部分を開閉できるカバーケースに格納した状態で店頭販売されている。特に、ビデオテープカセットに用いるカバーケースはタイトルや解説を表した印刷物が表示されて通常不透明であり、一瞥しただけでは中にビデオテープカセットが入っているか否かを判別できないことから、ビデオレンタルショップでは、製造者から購入後にビデオテープカセットを透明または半透明のレンタル用ケースに入れ替え、そのうえで展示用ケースに入れて陳列を行っている。かかる事情を鑑みて陳列作業の合理化を図るため、本件出願人は特開平７−３３１８８号公報にて展示用ケースとして利用可能なカバーケースを提案している。
また、ビデオテープカセットを入れたテープケースを陳列用ケースに納めた状態で店頭に陳列し、顧客が陳列用ケースからテープケースを抜いて借用することができて、抜き取られた陳列用ケースはそのまま残しておく陳列方法及び陳列用ケースが、特公平７−４１９４１号公報で開示されている。
【０００３】
【発明が解決しようとする課題】
ところで、後者の特公平７−４１９４１号公報の発明においては、テープケースの上端が露出するので貸し出し可能か否かを容易に知ることはできるところ、テープケースを入れた状態でその上端が収納口から露出するように構成された専用の陳列用ケースを別途必要とし、当初のビデオテープカセットに附属してくるカバーケースは全く活用されていない。そのため、関連コストが高くつき、省資源の観点からも好ましくない。
また、今後予測されるビデオテープカセットを予めレンタル用ケースに収納した状態でカバーケースに収めて製造者から出荷される場合には、ビデオレンタルショップは従来のカバーケースでは十分に対応することができないと考えられることから、陳列方法も含めてそれに対応可能な新たなカバーケースの開発を行うに至った。
【０００４】
この発明の目的は、ビデオテープカセットをそのまま、或いはレンタル用ケースに収めてそれを収納し、店頭での陳列にも転用可能としたカバーケース及びその陳列方法を提供することにある。
【０００５】
【課題を解決するための手段】
前記目的を達成するために請求項１に記載の発明は、ビデオテープカセットを箱型形状の本体の正面側から出し入れできるように正面の扉部を開閉自由に設け、該本体の上面側の開口から前記ビデオテープカセットを出し入れできるように該開口を開閉する蓋体を設けたビデオテープカセットのカバーケースであって、前記本体の背面の壁部又は側部の少なくとも一方の内面に、同本体に収納された状態におけるビデオテープカセットの凹部に遊嵌する突起片を一体に形成し、前記蓋体を起立させて前記扉部を閉じた状態で前記ビデオテープカセットを前記開口から入れたとき、同ビデオテープカセットの底面が前記突起片に当接して、そのビデオテープカセットの上部が該開口から所定の高さで露出するように構成したことを特徴とする。
【０００６】
同様の目的を達成するために請求項２に記載の発明は、ビデオテープカセットを収納するレンタル用ケースを箱型形状の本体の正面側から出し入れできるように正面の扉部を開閉自由に設け、該本体の上面側の開口から前記ビデオテープカセットを出し入れできるように該開口を開閉する蓋体を設けたビデオテープカセットのカバーケースであって、前記本体の背面の壁部又は側部の少なくとも一方の内面に、同本体に収納された状態におけるレンタル用ケースの透孔若しくは凹部に遊嵌する突起片を一体に形成し、前記蓋体を起立させて前記扉部を閉じた状態で前記レンタル用ケースを前記開口から入れたとき、同ケースの底面が前記突起片に当接して、そのレンタル用ケースの上部が該開口から所定の高さで露出するように構成したことを特徴とする。
【０００７】
同様の目的を達成するために請求項３に記載した請求項１に記載のカバーケースの陳列方法は、ビデオテープカセットを貸し出し又は販売するために陳列棚に展示する陳列方法であって、ビデオテープカセットをカバーケースに完全に収納した販売態様と、同ビデオテープカセットの上部を前記開口から所定の高さに露出させた展示態様の何れかに可変自由に設けられ、上記何れかの態様において展示を行うことを特徴とする。
【０００８】
同様の目的を達成するために請求項４に記載した請求項２に記載のカバーケースの陳列方法は、ビデオテープカセットを貸し出し又は販売するために陳列棚に展示する陳列方法であって、ビデオテープカセットを収納したレンタル用ケースがカバーケースに完全に収納された販売態様と、該レンタル用ケースの上部が前記開口から所定の高さに露出された展示態様の何れかに可変自由に設けられ、上記何れかの態様において展示を行うことを特徴とする。
【０００９】
【発明の作用及び効果】
このカバーケースを展示用ケースとして使用する場合には、扉部を開けてビデオテープカセット又はレンタル用ケースを取り出し、蓋体をカバーケースの上面の開口に沿って起立するように取り付ける。ついで、ビデオテープカセット又はレンタル用ケースを開口から入れると、それらの底面が突起片に当接するため、ビデオテープカセット又はレンタル用ケースの上部が開口から所定の高さで露出した展示態様となる。
【００１０】
このビデオテープカセットのカバーケースは展示用に簡単に転用可能であって、陳列時にビデオテープカセット又はレンタル用ケースを外から見ることができてレンタル中か否かが即座に判断されるので、利用者及び商品管理者にとって大変便利である。加えて、従来のビデオレンタルショップ側で展示、陳列の際にビデオテープカセットをレンタル用ケースに一々詰め替える煩わしさがなく、別途陳列用ケースを用意しておく不都合が解消される等の利点がある。
【００１１】
【発明の実施の形態】
以下に、本発明の実施の形態例を図面に基づいて説明する。図１はビデオテープカセットの第１実施の形態例のカバーケースの斜視図、図２はビデオテープカセットを収めたカバーケースの縦断正面図、図３は公知のビデオテープカセットの裏面図、図４は蓋体の斜視図、図５はビデオテープカセットの展示態様を示すカバーケースの縦断正面図、図６はレンタル用ケースの斜視図、図７はレンタル用ケースを収めた第２実施の形態例を示すカバーケースの縦断正面図、図８は展示態様を示すカバーケースの縦断正面図である。
【００１２】
図１、２に示す第１実施の形態例のビデオテープカセットのカバーケースＣ1は、箱型形状の本体１０と本体上面に形成した開口１１を閉じる蓋体４０からなる２体構造とされている。
前記本体１０を形成する正面の扉部１２と背面の壁部１５、左側部２０と右側部２５及び底部１６はプラスチック材料で一体に成形され、かつ壁部１５と左側部２０の連接部及びその左側部２０と前記扉部１２の連接部とを薄肉に成形して、扉部１２を右側部２５から分割することにより開閉自在とする。また、この扉部１２は左側部２０を伴って開くように設けられている。
【００１３】
図２に示すように、本体１０の左側部２０、右側部２５の内側には、前記底部１６の近くまで案内片２１、２６を一体に形成し、これら案内片２１、２６の間に収納される公知のビデオテープカセット５０のガタツキがないように設ける。２２は上記開口１１の位置で案内片２１と右側部２５の内側面に対向するように形成された一対の嵌合溝である。前記本体１０の背面の壁部１５内方には、突起片１７を一体に形成する。図３に示すように、公知のＶＨＳ規格のビデオテープカセット５０の裏面には、いろいろの形状の凹部が一定位置に設けられており、その中の右下隅の凹部５１をこの発明に利用する。すなわち、同ビデオテープカセット５０を前記本体１０に収納した状態において、上記突起片１７が同カセット５０の凹部５１に遊嵌するように突起片１７の位置を定める。
【００１４】
第４図に示すように、蓋体４０の裏面には２本の脚部４２、４３を垂設し、それら脚部４２、４３の外側面に係止突条４４、４５を形成する。４７、４８は該蓋体片４１の左右両端面に形成された係止突条である。しかして、上記蓋体４０は係止突条４７、４８を嵌合溝２２に嵌合することにより本体１０上面に取付けられて、上記開口１１を閉じるように構成される（図２）。
かかる蓋体４０の取り付け構造は、本件出願人が先に特開平７−３３１８８号公報で開示して公知とされたものと同様である。
【００１５】
しかして、図２のビデオテープカセット５０を収納した状態と、図５に示すカバーケースＣ1の扉部１２を閉じた状態において、開口１１から入れたビデオテープカセット５０の底面５２が突起片１７に当接し、同カセット５０の上部が開口１１から所定の高さ位置まで露出した展示態様の何れかに可変自由に設けられたビデオテープカセットのカバーケースＣ1が構成される。
【００１６】
つぎに、ビデオテープカセット５０を収納したレンタル用ケース６０を収めた第２実施の形態例を示すカバーケースＣ2を図７に示す。
上記カバーケースＣ1はビデオテープカセット５０をそのまま収納する構造であるところ、このカバーケースＣ2は、ビデオテープカセット５０を収納したレンタル用ケース６０を収納する構造としている。そのレンタル用ケース６０は本発明専用にかかるものであり、該ケース６０の裏面６１には、ＶＨＳ規格のビデオテープカセット５０の凹部５１に合致する位置に透孔６３が設けられている（図６）。この透孔６３は、本体１１０の壁部１１５内方に設けられた突起片１１７に遊嵌される位置に設けられるものとする。
なお、その透孔６３に代えて、前記凹部５１に遊嵌する係合部を形成し、該係合部の外面側に凹部を設ける構成とすることもできる。
カバーケースＣ2のその他の構成については、上記カバーケースＣ1と同様の構成部分に百番台の同符号を表示してその説明を省略する。
【００１７】
しかして、図７のレンタル用ケース６０を収納した状態と、図８に示すカバーケースＣ2の扉部を閉じた状態において、開口１１１から入れたレンタル用ケース６０の底面６２が突起片１１７に当接し、同ケース６０の上部が開口１１１から所定の高さ位置まで露出した展示態様の何れかに可変自由に設けられたビデオテープカセットのカバーケースＣ2が構成される。
【００１８】
以上に述べたように、このビデオテープカセットのカバーケースは展示用に簡単に転用可能であって、陳列時に開口から露出させたビデオテープカセット又はレンタル用ケースを外から見ることができてレンタル中か否かが即座に判断されるので、利用者及び商品管理者にとって大変便利である。
【図面の簡単な説明】
【図１】ビデオテープカセットの第１実施の形態例のカバーケースの斜視図
【図２】ビデオテープカセットを収めたカバーケースの縦断正面図
【図３】公知のビデオテープカセットの裏面図
【図４】蓋体の斜視図
【図５】ビデオテープカセットの展示態様を示すカバーケースの縦断正面図
【図６】レンタル用ケースの斜視図
【図７】レンタル用ケースを収めた第２実施の形態例を示すカバーケースの縦断正面図
【図８】展示態様を示すカバーケースの縦断正面図
【符号の説明】
Ｃ1、Ｃ2→カバーケース  １０→本体  １１→開口  １２→扉部
１５→壁部  １７→突起片  ４０→蓋体  ５０→ビデオテープカセット
５１→凹部  ５２→底面
６０→レンタル用ケース  ６２→底面  ６３→透孔  １１０→本体
１１１→開口  １１７→突起片
【図１】
0003926434.tif 000002
【図２】
0003926434.tif 000003
【図３】
0003926434.tif 000004
【図４】
0003926434.tif 000005
【図５】
0003926434.tif 000006
【図６】
0003926434.tif 000007
【図７】
0003926434.tif 000008
【図８】
0003926434.tif 000009